(57)【要約】      （修正有）【課題】体の不自由な方が使用し、座る姿勢を直して固定することにより、使用者が自転車から転落して負傷することを防止し、安全性を大幅に向上する。【解決手段】自転車の背もたれのフレームには、背調整部１と、胸支持調整部２とが設けてある自転車用背もたれ調整構造において、前記背調整部は、背調整ゾーン１０と、腰調整ゾーン１１とを有することを特徴とする自転車用背もたれ調整構造。【選択図】図３
0003110081.tif 000002
【実用新案登録請求の範囲】
【請求項１】
自転車の背もたれのフレームには、背調整部と、胸支持調整部とが設けてある自転車用背もたれ調整構造において、
前記背調整部は、背調整ゾーンと、腰調整ゾーンとを有し、前記背調整ゾーンにはスリーブを持つ背板が設けてあり、前記背板は自転車背もたれのフレームに嵌めて調整することができ、嵌めチューブが前記スリーブの外側から延在してあり、前記胸支持調整部が前記嵌めチューブに嵌められ、前記背板には背パッドの挿しロッドを嵌めて締結する貫通孔が設けてあり、且つ離れた側には貫通孔を持つ上下定位片が設けてあり、前記下定位片には一つのネジ軸が設けてあることにより一つの作動ロッドが枢着し設けてあり、作動ロッドの頂端には弾性素子を嵌めた枢着ロッドが設けてあり、また、一つの貫通ロッドにより前記枢着ロッドを上定位片の貫通孔に定位し、
前記腰調整ゾーンには一つの腰板が設けてあり、前記腰板には背パッドの挿しロッドを嵌めて締結する貫通孔が設けてあり、且つ前記背パッドの離れた側には挿しロッドが設けてあり、前記挿しロッドは弾性素子を嵌めて一つの定位台を固定し、前記定位台には一つの嵌めチューブが設けてあり、前記背調整部の作動ロッドが前記嵌めチューブに挿入され、
前記胸支持調整部は、背板の嵌めチューブに挿入される挿しロッドが突設してあり、前記挿しロッドには、ネジ穴を開設した結合台が設けてあり、且つ一つの保護パッドが設けてあり、前記保護パッドにもネジ穴を開設した結合台が設けてあり、二つの前記結合台には、貫通溝が設けてあると共に、一つの保護片が前記貫通溝に挿入され、結合台のネジ穴に締結素子をネジ込むことにより前記結合台が保護片に固定されることを特徴とする、
自転車用背もたれ調整構造。
【請求項２】
前記背板のスリーブはフレームに嵌められ、前記フレームの内部に弾性突起が設けてあり、前記弾性突起を押圧することにより、スリーブに開けた貫通孔が制限された位置から離脱することができ、上下に移動して他の貫通孔に定位することができ、これにより、背調整ゾーンと腰調整ゾーンとの位置を調整することができることを特徴とする、
請求項１に記載の自転車用背もたれ調整構造。
【請求項３】
前記胸支持調整部は前記挿しロッドが背板にある嵌めチューブに嵌められ、且つ前記嵌めチューブには切り欠けが設けてあり、前記挿しロッドは、前記嵌めチューブに嵌めた後、一つの緊迫素子によって定位することができることを特徴とする、
請求項１に記載の自転車用背もたれ調整構造。
【請求項４】
前記胸支持調整部の保護片には結合台のネジ穴に応じる箇所では摺動溝が設けてあり、結合台のネジ穴に締結素子をネジ込むことにより前記結合台が保護片に固定されることを特徴とする、
請求項１に記載の自転車用背もたれ調整構造。
【考案の詳細な説明】
【技術分野】
【０００１】
本考案は自転車用背もたれ調整構造に係るもので、特に体の不自由な方が使用し、座る姿勢を直して固定することにより、使用者が自転車から転落して負傷することを防止でき、安全性を大幅に向上することができる自転車用背もたれ調整構造に関するものである。
【背景技術】
【０００２】
図１６に示すのは、従来のものの全体構造を示す斜視図である。このようなものの背もたれ構造は、フレーム３１の頂端にネック支持器３２が設けてあり、前記フレーム３１には胸挟み用ロッド３３と腰挟み用ロッド３４とが設けてあり、フレーム３１の底部には結合台３５により自転車に結合し固定する。
【０００３】
これにより、使用者は頭をネック支持器３２に寄せ、胸挟み用ロッド３３と腰挟み用ロッド３４とによって身体を固定することにより、使用者は自転車から転落して負傷することを回避できる。
【考案の開示】
【考案が解決しようとする課題】
【０００４】
本考案の主な目的は、体の不自由な方に使用され、座る姿勢を直して固定することにより、使用者が自転車から転落して負傷することを防止でき、安全性が大幅に向上した自転車用背もたれ調整構造を提供する。
【課題を解決するための手段】
【０００５】
上記目的を達成するためになされた本願の考案は、自転車の背もたれのフレームには、背調整部と、胸支持調整部とが設けてある自転車用背もたれ調整構造において、
【０００６】
前記背調整部は、背調整ゾーンと、腰調整ゾーンとを有し、前記背調整ゾーンにはスリーブを持つ背板が設けてあり、前記背板は自転車背もたれのフレームに嵌めて調整することができ、嵌めチューブが前記スリーブの外側から延在してあり、前記胸支持調整部が前記嵌めチューブに嵌められ、前記背板には背パッドの挿しロッドを嵌めて締結する貫通孔が設けてあり、且つ離れた側には貫通孔を持つ上下定位片が設けてあり、前記下定位片には一つのネジ軸が設けてあることにより一つの作動ロッドが枢着し設けてあり、作動ロッドの頂端には弾性素子を嵌めた枢着ロッドが設けてあり、また、一つの貫通ロッドにより前記枢着ロッドを上定位片の貫通孔に定位し、
【０００７】
前記腰調整ゾーンには一つの腰板が設けてあり、前記腰板には背パッドの挿しロッドを嵌めて締結する貫通孔が設けてあり、且つ前記背パッドの離れた側には挿しロッドが突設してあり、前記挿しロッドは弾性素子を嵌めて一つの定位台を固定し、前記定位台には一つの嵌めチューブが設けてあり、前記背調整部の作動ロッドが前記嵌めチューブに挿入され、
【０００８】
前記胸支持調整部は、背板の嵌めチューブに挿入される挿しロッドが設けてあり、前記挿しロッドには、ネジ穴を開設した結合台が設けてあり、且つ一つの保護パッドが設けてあり、前記保護パッドにもネジ穴を開設した結合台が設けてあり、二つの前記結合台には、貫通溝が設けてあると共に、一つの保護片が前記貫通溝に挿入され、結合台のネジ穴に締結素子をネジ込むことにより前記結合台が保護片に固定されることを特徴とする自転車用背もたれ調整構造であることを要旨としている。
【０００９】
本願の考案では、前記背板のスリーブはフレームに嵌められ、前記フレームの内部に弾性突起が設けてあり、前記弾性突起を押圧することにより、スリーブに開けた貫通孔が制限された位置から離脱することができ、上下に移動して他の貫通孔に定位することができ、これにより、背調整ゾーンと腰調整ゾーンとの位置を調整することができることを特徴とする請求項１に記載の自転車用背もたれ調整構造であることを要旨としている。
【００１０】
本願の考案では、前記胸支持調整部は前記挿しロッドが背板にある嵌めチューブに嵌められ、且つ前記嵌めチューブには切り欠けが設けてあり、前記挿しロッドは、前記嵌めチューブに嵌めた後、一つの緊迫素子によって定位することができることを特徴とする請求項１に記載の自転車用背もたれ調整構造であることを要旨としている。
【００１１】
本願の考案では、前記胸支持調整部の保護片には結合台のネジ穴に応じる箇所では摺動溝が設けてあり、結合台のネジ穴に締結素子をネジ込むことにより前記結合台が保護片に固定されることを特徴とする請求項１に記載の自転車用背もたれ調整構造であることを要旨としている。
【考案の効果】
【００１２】
本考案に係る自転車用背もたれ調整構造よれば、次のような効果がある。
（イ）自転車の背もたれのフレームに設けた背調整部と胸支持調整部とにより、体の不自由な方や身体を直そうとする者は、座る姿勢が直され、且つ自転車から転落して負傷することがあり得ない。
【００１３】
（ロ）例えば背部や腰部や胸部などの部位は適当に調整されるので、使用者は心地良く運転することができる。
【考案を実施するための最良の形態】
【００１４】
以下、添付図面を参照して本考案の好適な実施の形態を詳細に説明する。
【００１５】
まず、図１乃至図３を参照する。図１は本考案の斜視概略図であり、図２は本考案の分解斜視図であり、図３は本考案に係る背もたれ調整構造の斜視図である。本考案に係る自転車用背もたれ調整構造Ａは、フレームＡ１には、背調整部１と、胸支持調整部２とが設けてある。
【００１６】
次に図３と図４を参照する。前記背調整部１は、背調整ゾーン１０と、腰調整ゾーン１１とを有し、前記背調整ゾーン１０にはスリーブ１０１１を持つ背板１０１が設けてあり、前記背板１０１は自転車背もたれのフレームＡ１に嵌めて調整することができ、嵌めチューブ１０１２が前記スリーブ１０１１の外側から延在してあり、前記胸支持調整部２が前記嵌めチューブ１０１２に嵌められ、前記背板１０１には背パッド１０２の挿しロッド１０２１を嵌めて締結する貫通孔１０１３が設けてあり、且つ離れた側には貫通孔を持つ上下定位片１０１４，１０１５が設けてあり、前記下定位片１０１５には一つのネジ軸１０３が設けてあることにより一つの作動ロッド１０４が枢着し設けてあり、作動ロッド１０４の頂端には弾性素子１０５を嵌めた枢着ロッド１０６が設けてあり、また、一つの貫通ロッド１０７により前記枢着ロッド１０６を上定位片１０１４の貫通孔に定位する。
【００１７】
前記腰調整ゾーン１１には一つの腰板１１１が設けてあり、前記腰板１１１には背パッド１１２の挿しロッド１１２１を嵌めて締結する貫通孔１１１０が設けてあり、且つ前記背パッド１１２の離れた側には挿しロッド１１１１が突設してあり、前記挿しロッド１１１１は弾性素子１１３を嵌めて一つの定位台１１４を固定し、前記定位台１１４には一つの嵌めチューブ１１４１が設けてあり、前記背調整部１０の作動ロッド１０４が前記嵌めチューブ１１４１に挿入される。
【００１８】
また、図５を参照する。前記胸支持調整部２は、背板１０１の嵌めチューブ１０１１に挿入される挿しロッド２１が設けてあり、前記挿しロッド２１には、ネジ穴２２１を開設した結合台２２が設けてあり、且つ一つの保護パッド２３が設けてあり、前記保護パッド２３にもネジ穴２２１を開設した結合台２２が設けてあり、二つの前記結合台２２，２２には、貫通溝２２２が設けてあると共に、一つの保護片２４が前記貫通溝２２２に挿入され、保護片２４の結合台２２にあるネジ穴２２１に応じる箇所では摺動溝２４１が設けてあり、結合台２２のネジ穴２２１に締結素子２２３をねじ込むことにより前記結合台２２が保護片２４に固定される。
【００１９】
次に図６乃至図９を参照する。本考案の組合作業は、背板１０１のスリーブ１０１１がフレームＡ１に嵌めてあり、フレームＡ１の内部に弾性突起Ａ２が設けてあることにより、スリーブ１０１１に開けた貫通孔１０１１ａが制限された位置から離脱して上下に移動することができ、これにより、背調整ゾーン１０と腰調整ゾーン１１との位置を調整することができる。スリーブ１０１１を背部の適当な位置に調整した後、腰調整ゾーン１１について調整する。腰調整ゾーン１１の定位台１１４は作動ロッド１０４で移動することができ、これにより、定位台１１４に従って腰パッド１１２が使用者の腰部に調整され、また、腰パッド１１２は使用者の腰部に当接することが必要であり、背板１０１の下定位片１０１５に作動ロッド１０４が枢着され、前記枢着点により、上定位片１０１５に枢着された弾性素子１０５と貫通ロッド１０７とを緊迫し又は弛緩することができ、これにより、図８と図９に示すように、腰パッド１１２を適当に移動させることができる。
【００２０】
また、図１０乃至図１５を参照する。背調整ゾーン１０と腰調整ゾーン１１とを調整した後、胸支持調整部２を調整する。胸支持調整部２は挿しロッド２１により背板１０１の嵌めチューブ１０１２に嵌められ、嵌めチューブ１０１２には切り欠け１０１２ａが設けてあり、挿しロッド２１を嵌めチューブ１０１２に嵌め込んだ後に一つの緊迫素子Ｂにより定位する。胸支持調整部２は、使用者の身体の寸法に応じて、保護パッド２３にある結合台２２と、挿しロッド２１にある結合台２２とを保護片２４に対して適当に移動して、締結素子をねじ込むことにより保護片２４を固定する。そうすると、胸支持調整部２は使用者の胸部を包囲し支持することができる。
【図面の簡単な説明】
【００２１】
【図１】本考案の斜視概略図である。
【図２】本考案の分解斜視図である。
【図３】本考案に係る背もたれ調整構造の斜視図である。
【図４】本考案に係る背調整部の分解斜視図である。
【図５】本考案に係る胸支持調整部の分解斜視図である。
【図６】本考案に係る背調整部のスリーブを調整する動作を示す断面図１である。
【図７】本考案に係る背調整部のスリーブを調整する動作を示す断面図２である。
【図８】本考案に係る背調整部を調整する動作を示す側面図１である。
【図９】本考案に係る背調整部を調整する動作を示す側面図２である。
【図１０】本考案に係る胸支持調整部を調整する動作を示す断面図１である。
【図１１】本考案に係る胸支持調整部を調整する動作を示す断面図２である。
【図１２】本考案に係る胸支持調整部の一部の拡大断面図である。
【図１３】本考案に係る胸支持調整部を調整する動作を示す断面図１である。
【図１４】本考案に係る胸支持調整部を調整する動作を示す断面図２である。
【図１５】本考案に係る胸支持調整部の一部の拡大断面図である。
【図１６】従来のものの全体構造を示す斜視図である。
【符号の説明】
【００２２】
Ａ          背もたれ調整構造              Ａ１        フレーム
Ａ２        弾性突起                      １          背調整部
１０        背調整ゾーン                  １０１      背板
１０１１    スリーブ                      １０１１ａ  貫通孔
１０１２    嵌めチューブ                  １０１２ａ  切り欠け
１０１３    貫通孔                        １０１４    上定位片
１０１５    下定位片                      １０２      背パッド
１０３      ネジ軸                        １０４      作動ロッド
１０５      弾性素子                      １０６      枢着ロッド
１０７      貫通ロッド                    １１        腰調整ゾーン
１１１      腰板                          １１２      腰パッド
１１２１    挿しロッド                    １１３      弾性素子
１１４      定位台                        １１４１    嵌めチューブ
２          胸支持調整部                  ２１        挿しロッド
２２        結合台                        ２２１      ネジ穴
２２２      貫通溝                        ２２３      締結素子
２３        保護パッド                    ２４        保護片
２４１      摺動溝                        Ｂ          緊迫素子
３１        フレーム                      ３２        ネック支持器
３３        胸挟み用ロッド                ３４        腰挟み用ロッド
３５        結合台
【図１】
0003110081.tif 000003
【図２】
0003110081.tif 000004
【図３】
0003110081.tif 000005
【図４】
0003110081.tif 000006
【図５】
0003110081.tif 000007
【図６】
0003110081.tif 000008
【図７】
0003110081.tif 000009
【図８】
0003110081.tif 000010
【図９】
0003110081.tif 000011
【図１０】
0003110081.tif 000012
【図１１】
0003110081.tif 000013
【図１２】
0003110081.tif 000014
【図１３】
0003110081.tif 000015
【図１４】
0003110081.tif 000016
【図１５】
0003110081.tif 000017
【図１６】
0003110081.tif 000018